(57)【要約】【課題】全閉外扇形回転電機の冷却能力を低下させることなく騒音の低減を図る。【解決手段】全閉外扇形回転電機は、ロータシャフトおよび回転子鉄心を有する回転子と、固定子と、フレームと、結合側軸受および反結合側軸受と、結合側軸受ブラケットおよび反結合側軸受ブラケットと、複数の冷却管および冷却器カバーを有する冷却器と、ロータシャフトの軸受の軸方向の外側に取り付けられて冷却管の内部に外気を供給する外扇と、外扇カバー８０を備える。外扇カバー８０は、外扇の外側を覆うように形成されたカバー板８１と、カバー板８１に囲まれた空間を外扇入口空間と外扇出口空間とに分割し外扇を覆う分割ガイドとを有する。カバー板８１の外扇に対向しない部分のみに外気取り入れ孔８２が形成されている。分割ガイドには、外気を外扇に導入する吸込み開口が形成され複数の冷却管に連通している。【選択図】図５
2020129897.tif 000002
【特許請求の範囲】
【請求項１】
回転軸方向に延びて回転可能に支持されたロータシャフトと、前記ロータシャフトの径方向外側に設けられた回転子鉄心とを有する回転子と、
前記回転子鉄心の径方向外側に設けられた円筒状の固定子鉄心と、前記固定子鉄心内を前記回転軸方向に貫通する固定子巻線とを有する固定子と、
前記固定子の径方向の外側に配されて前記回転子鉄心と前記固定子とを収納するフレームと、
前記回転子鉄心を挟んで前記回転軸方向の両側で前記ロータシャフトを支持する結合側軸受および反結合側軸受と、
前記結合側軸受および前記反結合側軸受のそれぞれを静止支持し前記フレームの前記回転軸方向の両側に接続する結合側軸受ブラケットおよび反結合側軸受ブラケットと、
前記回転軸方向に延びて互いに並列に配された複数の冷却管と、前記複数の冷却管を収納し前記フレーム、前記結合側軸受ブラケットおよび前記反結合側軸受ブラケットとともに閉空間を形成する冷却器カバーと、を有する冷却器と、
前記ロータシャフトの前記反結合側軸受の軸方向の外側に取り付けられて前記複数の冷却管の内部に外気を供給する外扇と、
前記外扇の外側を覆うように形成されたカバー板と、前記カバー板に囲まれた空間を外扇入口空間と外扇出口空間とに分割する分割ガイドとを有する外扇カバーと、
を備え、
前記カバー板の前記外扇に対向しない部分のみに外気取り入れ孔が形成され、
前記分割ガイドは、前記外扇を覆うように配置され、前記外気取り入れ孔から流入した外気を前記外扇に導入する吸込み開口が形成されて、前記複数の冷却管に連通している、
ことを特徴とする全閉外扇形回転電機。
【請求項２】
前記カバー板は、
前記外扇に対向する正面カバー板と、
２つの側部カバー板と、
前記正面カバー板の上端および前記２つの側部カバー板の上端と結合する上部カバー板と、
を有し、
前記外気取り入れ孔は、前記２つの側部カバー板および前記上部カバー板のいずれかに形成されていることを特徴とする請求項１に記載の全閉外扇形回転電機。
【請求項３】
回転軸方向に延びて回転可能に支持されたロータシャフトと、前記ロータシャフトの径方向外側に設けられた回転子鉄心とを有する回転子と、
前記回転子鉄心の径方向外側に設けられた円筒状の固定子鉄心と、前記固定子鉄心内を前記回転軸方向に貫通する固定子巻線とを有する固定子と、
前記固定子の径方向の外側に配されて前記回転子鉄心と前記固定子とを収納するフレームと、
前記回転子鉄心を挟んで前記回転軸方向の両側で前記ロータシャフトを支持する結合側軸受および反結合側軸受と、
前記結合側軸受および前記反結合側軸受のそれぞれを静止支持し前記フレームの前記回転軸方向の両側に接続する結合側軸受ブラケットおよび反結合側軸受ブラケットと、
前記回転軸方向に延びて互いに並列に配された複数の冷却管と、前記複数の冷却管を収納し前記フレーム、前記結合側軸受ブラケットおよび前記反結合側軸受ブラケットとともに閉空間を形成する冷却器カバーと、を有する冷却器と、
前記ロータシャフトの前記反結合側軸受の軸方向の外側に取り付けられて前記複数の冷却管の内部に外気を供給する外扇と、
を備える全閉外扇形回転電機の外扇カバーであって、
前記外扇カバーは、
前記外扇の外側を覆うように形成されたカバー板と、
前記カバー板に囲まれた空間を外扇入口空間と外扇出口空間とに分割する分割ガイドと、
を具備し、
前記カバー板の前記外扇に対向しない部分のみに外気取り入れ孔が形成され、
前記分割ガイドは、前記外扇を覆うように配置され、前記外気取り入れ孔から流入した外気を前記外扇に導入する吸込み開口が形成されて、前記複数の冷却管に連通している、
ことを特徴とする外扇カバー。
【発明の詳細な説明】
【技術分野】
【０００１】
本発明は、全閉外扇形回転電機およびその外扇カバーに関する。
【背景技術】
【０００２】
全閉外扇形回転電機は、回転子、固定子、回転子鉄心と固定子を収納するフレームに、さらに、冷却器および外扇を備える。外扇は、通常、回転子のロータシャフトの一端（反結合側）に設けられている。外扇により駆動された外気は、冷却器の軸方向に延びた冷却管のそれぞれの一方の開口から冷却管内に流入し、他方の開口から外部に流出する。
【０００３】
全閉外扇形回転電機においては、フレームと冷却器カバーとで閉空間を形成している。冷却管はこの閉空間内を貫通しており、冷却管の外側は、閉空間の雰囲気である。通常は、空気などの冷却用気体がこの閉空間内を循環する。
【０００４】
冷却管内を通過する外気は、冷却管の外側の冷却用気体を冷却する。冷却用気体は、回転子鉄心、固定子鉄心および固定子巻線等を冷却する。
【先行技術文献】
【特許文献】
【０００５】
【特許文献１】特開平７−２１３０１８号公報
【特許文献２】特開平９−２７５６６３号公報
【発明の概要】
【発明が解決しようとする課題】
【０００６】
冷却管内を流れて冷却用気体を冷却する外気は、外扇カバーに設けられた外気取り入れ口から流入し、外扇カバー内で、外扇により冷却管に圧送される。
【０００７】
ここで、外気の流量が大きくなるほど、冷却器における冷却能力は増大するが、外気の流れによる騒音も増大する。騒音の原因としては、外扇による風切り音と、外気が冷却管に流入する際の管板に衝突する音などがある。回転電機が２極機の場合は、特にロータシャフトの回転数が大きいため、外扇の回転数も大きく、外扇による風切り音が大きくなる。このため、騒音を所定の値以下に抑制する必要がある。
【０００８】
騒音を低減させる技術として、外扇の径方向外側から冷却器に導く流路を工夫した技術（特許文献１参照）、あるいは、外扇の吐出側でジェットファン作用をもたらす構成とした技術（特許文献２参照）などの例がある。これらの例は、いずれも、外扇の下流側の流路に関するものであり、外扇カバー内の構造が複雑になる。
【０００９】
そこで、本発明は、全閉外扇形回転電機の冷却能力を低下させることなく騒音の低減を図ることを目的とする。
【課題を解決するための手段】
【００１０】
上述の目的を達成するため、本発明に係る全閉外扇形回転電機は、回転軸方向に延びて回転可能に支持されたロータシャフトと、前記ロータシャフトの径方向外側に設けられた回転子鉄心とを有する回転子と、前記回転子鉄心の径方向外側に設けられた円筒状の固定子鉄心と、前記固定子鉄心内を前記回転軸方向に貫通する固定子巻線とを有する固定子と、前記固定子の径方向の外側に配されて前記回転子鉄心と前記固定子とを収納するフレームと、前記回転子鉄心を挟んで前記回転軸方向の両側で前記ロータシャフトを支持する結合側軸受および反結合側軸受と、前記結合側軸受および前記反結合側軸受のそれぞれを静止支持し前記フレームの前記回転軸方向の両側に接続する結合側軸受ブラケットおよび反結合側軸受ブラケットと、前記回転軸方向に延びて互いに並列に配された複数の冷却管と、前記複数の冷却管を収納し前記フレーム、前記結合側軸受ブラケットおよび前記反結合側軸受ブラケットとともに閉空間を形成する冷却器カバーと、を有する冷却器と、前記ロータシャフトの前記反結合側軸受の軸方向の外側に取り付けられて前記複数の冷却管の内部に外気を供給する外扇と、前記外扇の外側を覆うように形成されたカバー板と、前記カバー板に囲まれた空間を外扇入口空間と外扇出口空間とに分割する分割ガイドとを有する外扇カバーと、を備え、前記カバー板の前記外扇に対向しない部分のみに外気取り入れ孔が形成され、前記分割ガイドは、前記外扇を覆うように配置され、前記外気取り入れ孔から流入した外気を前記外扇に導入する吸込み開口が形成されて、前記複数の冷却管に連通している、ことを特徴とする。
【００１１】
また、本発明に係る外扇カバーは、回転軸方向に延びて回転可能に支持されたロータシャフトと、前記ロータシャフトの径方向外側に設けられた回転子鉄心とを有する回転子と、前記回転子鉄心の径方向外側に設けられた円筒状の固定子鉄心と、前記固定子鉄心内を前記回転軸方向に貫通する固定子巻線とを有する固定子と、前記固定子の径方向の外側に配されて前記回転子鉄心と前記固定子とを収納するフレームと、前記回転子鉄心を挟んで前記回転軸方向の両側で前記ロータシャフトを支持する結合側軸受および反結合側軸受と、前記結合側軸受および前記反結合側軸受のそれぞれを静止支持し前記フレームの前記回転軸方向の両側に接続する結合側軸受ブラケットおよび反結合側軸受ブラケットと、前記回転軸方向に延びて互いに並列に配された複数の冷却管と、前記複数の冷却管を収納し前記フレーム、前記結合側軸受ブラケットおよび前記反結合側軸受ブラケットとともに閉空間を形成する冷却器カバーと、を有する冷却器と、前記ロータシャフトの前記反結合側軸受の軸方向の外側に取り付けられて前記複数の冷却管の内部に外気を供給する外扇と、を備える全閉外扇形回転電機の外扇カバーであって、前記外扇カバーは、前記外扇の外側を覆うように形成されたカバー板と、前記カバー板に囲まれた空間を外扇入口空間と外扇出口空間とに分割する分割ガイドと、を具備し、前記カバー板の前記外扇に対向しない部分のみに外気取り入れ孔が形成され、前記分割ガイドは、前記外扇を覆うように配置され、前記外気取り入れ孔から流入した外気を前記外扇に導入する吸込み開口が形成されて、前記複数の冷却管に連通している、ことを特徴とする。
【発明の効果】
【００１２】
本発明によれば、全閉外扇形回転電機の冷却能力を低下させることなく騒音の低減を図ることが可能となる。
【図面の簡単な説明】
【００１３】
【図１】実施形態に係る全閉外扇形回転電機の構成を示す立断面図である。
【図２】実施形態に係る全閉外扇形回転電機の外扇カバーの構成を示す図１のＩＩ−ＩＩ線矢視立断面図である。
【図３】実施形態に係る全閉外扇形回転電機の外扇カバーの構成を示す図２のＩＩＩ−ＩＩＩ線矢視横断面図である。
【図４】実施形態に係る全閉外扇形回転電機の外扇カバーの構成を示す図３のＩＶ−ＩＶ線矢視立断面図である。
【図５】実施形態に係る全閉外扇形回転電機の外扇カバーの構成を示す図３のＶ−Ｖ線矢視立断面図である。
【図６】実施形態に係る全閉外扇形回転電機の外扇カバーの構成を示す図３のＶＩ−ＶＩ線矢視平面図である。
【図７】実施形態に係る全閉外扇形回転電機の外扇カバーの効果を説明する概念的な平断面図である。
【発明を実施するための形態】
【００１４】
以下、図面を参照して、本発明の実施形態に係る全閉外扇形回転電機および外扇カバーについて説明する。ここで、互いに同一または類似の部分には、共通の符号を付して、重複説明は省略する。
【００１５】
図１は、実施形態に係る全閉外扇形回転電機の構成を示す立断面図である。
【００１６】
全閉外扇形回転電機１００は、回転子１０、固定子２０、結合側軸受３０ａ、反結合側軸受３０ｂ、フレーム４０、冷却器６０、および外扇７０を有する。
【００１７】
回転子１０は、長手方向に延びたロータシャフト１１と、ロータシャフト１１に取り付けられた回転子鉄心１２を有する。ロータシャフト１１の一端には、結合対象との結合のための結合部１１ａが設けられている。ロータシャフト１１は、回転子鉄心１２を挟んだ両側で結合側軸受３０ａおよび反結合側軸受３０ｂにより回転可能に支持される。
【００１８】
ロータシャフト１１のそれぞれの軸受と回転子鉄心１２の間の部分には、それぞれ、内扇５１が取り付けられている。
【００１９】
固定子２０は、回転子鉄心１２の径方向外側に、空隙を介して配された円筒状の固定子鉄心２１と、周方向に互いに間隔をおいて軸方向に固定子鉄心２１を貫通する固定子巻線２２を有する。
【００２０】
フレーム４０は、固定子２０の径方向外側に、固定子２０を囲むように配されている。フレーム４０は、筒状であり、その両側の端部には、結合側軸受ブラケット４５ａおよび反結合側軸受ブラケット４５ｂが取り付けられており、それぞれ、結合側軸受３０ａおよび反結合側軸受３０ｂを静止支持している。
【００２１】
フレーム４０の上方には冷却器６０が設けられている。冷却器６０は、互いに並列に配されて軸方向に直線的に延びた冷却管６１と、冷却管６１を収納する冷却器カバー６３を有する。冷却管６１は、その両端が端板６２ａ、６２ｂを突出しない状態で貫通し、端板６２ａ、６２ｂに静止支持されている。
【００２２】
フレーム４０、結合側軸受ブラケット４５ａおよび反結合側軸受ブラケット４５ｂ、冷却器カバー６３および端板６２ａ、６２ｂは、互いに相まって閉空間４０ａを形成する。フレーム４０内の空間と、冷却器カバー６３内の空間とは、冷却器入口開口６４および冷却器出口開口６５ａ、６５ｂを介して連通している。冷却器入口開口６４は、固定子２０の上方、冷却器出口開口６５ａ、６５ｂは、内扇５１の上方に、フレーム４０の開口として形成されている。
【００２３】
ロータシャフト１１の結合部１１ａが設けられている側と反対側の端部近傍には、外扇７０が設けられている。また、外扇７０の外側には、外扇７０を収納し、外扇７０に外気をガイドし、外扇７０から冷却管６１に外気をガイドする外扇カバー８０が設けられている。
【００２４】
外扇カバー８０は、カバー板８１、分割ガイド８３および内側ガイド８４を有する。
【００２５】
カバー板８１と分割ガイド８３により、外扇７０により駆動される外気の流れにおいて、外扇７０の入口側の空間が形成される。
【００２６】
また、分割ガイド８３、内側ガイド４および反結合側軸受ブラケット４５ｂ，および端板６２ｂにより、外扇７０により駆動される外気の流れにおいて、外扇７０の出口側の空間が形成される。
【００２７】
図２は、実施形態に係る全閉外扇形回転電機の外扇カバーの構成を示す図１のＩＩ−ＩＩ線矢視立断面図である。図３は、図２のＩＩＩ−ＩＩＩ線矢視横断面図、図４は、図３のＩＶ−ＩＶ線矢視立断面図、また、図５は、図３のＶ−Ｖ線矢視立断面図、図６は、図３のＶＩ−ＶＩ線矢視平面図である。
【００２８】
外扇カバー８０のカバー板８１は、最外面の部分であり、外気に接している。カバー板８１は、外形が直方体であり、正面カバー板８１ａ、２つの側部カバー板８１ｂ、上部カバー板８１ｃ、および底部カバー板８１ｄを有する。
【００２９】
正面カバー板８１ａは、端板６２ｂおよび反結合側軸受ブラケット４５ｂに対向している。正面カバー板８１ａの内面すなわち反結合側軸受ブラケット４５ｂ側には、図２等に示すように、たとえば、スポンジなどの消音部材８１ｓが取り付けられていてもよい。また、さらに、側部カバー板８１ｂ、上部カバー板８１ｃにも、消音部材８１ｓが取り付けられていてもよい。
【００３０】
底部カバー板８１ｄは、正面カバー板８１ａの底部端および反結合側軸受ブラケット４５ｂの底部端を結んで、カバー板８１の底部を形成する。上部カバー板８１ｃは、正面カバー板８１ａの頂部端および端板６２ｂの頂部端を結んで、カバー板８１上部を形成する。正面カバー板８１ａ、上部カバー板８１ｃおよび底部カバー板８１ｄのそれぞれの一方の端部と、端板６２ｂおよび反結合側軸受ブラケット４５ｂに接続するように一方の側部カバー板８１ｂを接続する。他方の側部カバー板８１ｂについても同様である。
【００３１】
ここで、図５に示すように、２枚の側部カバー板８１ｂには、複数の外気取り入れ孔８２が形成されている。図５では、外気取り入れ孔８２は、側部カバー板８１ｂの、端板６２ｂおよび反結合側軸受ブラケット４５ｂに近い領域に偏って形成されている。複数の外気取り入れ孔８２は正方格子状に配列されているが、これに限定されない。すなわち、たとえば、千鳥配置などであってもよい。
【００３２】
内側ガイド８４は、外形が軸方向に中心を有する円錐台であり、外扇７０と反結合側軸受３０ｂとの間にあって反結合側軸受ブラケット４５ｂに支持され、ロータシャフト１１の貫通孔を有する。内側ガイド８４は、たとえば半割れであり、外扇７０を取り付け後にも設置可能に形成されている。
【００３３】
分割ガイド８３は、カバー板８１内の空間を、外扇入口空間８０ａと外扇出口空間８０ｂとに分割する。分割ガイド８３は、正面ガイド板８３ａ、側部ガイド板８３ｂ、斜向ガイド板８３ｃ、および上部ガイド板８３ｄを有する。
【００３４】
正面ガイド板８３ａは、長方形で、カバー板８１の正面カバー板８１ａに対向するように直立しており、下端は、カバー板８１の底部カバー板８１ｄの上面に接している。正面カバー板８１ａのほぼ中央付近には、円形の吸込み開口８３ｈが形成されている。吸込み開口８３ｈから外扇７０までは、筒状の吸込みガイド８３ｇが外気をガイドする。
【００３５】
斜向ガイド板８３ｃは、長方形で、正面ガイド板８３ａの上端と結合し、端板６２ｂ側に傾くように上方に延びている。
【００３６】
上部ガイド板８３ｄは、長方形で、斜向ガイド板８３ｃの上端と結合し、水平に端板６２ｂ側に延びて端板６２ｂと接している。
【００３７】
側部ガイド板８３ｂは、下半部は長方形で、正面ガイド板８３ａ、カバー板８１の底部カバー板８１ｄ、および反結合側軸受ブラケット４５ｂと結合し、上半部は、台形で、斜向ガイド板８３ｃ、上部ガイド板８３ｄ、および端板６２ｂと結合し、外扇出口空間８０ｂを形成する。
【００３８】
外扇出口空間８０ｂは、ガイド板８３、カバー板の底板カバー板８１ｄ、反結合側軸受ブラケット４５ｂおよび端板６２ｂに囲まれた空間であり、冷却管６１のそれぞれの端部の開口を通して冷却管６１内と連通し、かつ、ガイド板８３に形成された外扇７０の吸込み開口８３ｈを介して外扇出口空間８０ｂと連通している。これ以外には外部と連通する部分はない。
【００３９】
図５に示すように、側部ガイド板８３ｂには、複数の外気取り入れ孔８２が形成されている。外気取り入れ孔８２が形成されている範囲は、側部ガイド板８３ｂの反結合側軸受ブラケット４５ｂおよび端板６２ｂの側に近い領域である。なお、図５では、側部ガイド板８３ｂの横方向の半分程度の領域に形成されている場合を示しているが、騒音の外部への漏えいの程度が問題なければ、さらに正面ガイド板８３ａの側に広がっている場合でもよい。
【００４０】
なお、以上では、分割ガイド８３が、複数の板材で構成されている場合を例にとって示したが、これに限定されない。たとえば、複数の板材の一部または全部を、曲面状の板に代えてもよい。
【００４１】
次に、本実施形態に係る全閉外扇形回転電機およびその外扇カバーの作用を説明する。
【００４２】
機内について、図１を引用しながら説明する。機内の冷却用気体は、２台の内扇５１により冷却用気体が回転子鉄心１２および固定子２０の方向に駆動され、これらを冷却した後に、冷却器入口開口６４から冷却器６０に流入し、ガイド板６６ａおよびガイド板６６ｂの間の空間の冷却管６１の外側を上昇しながら冷却管６１内を流れる外気により冷却される。上部連通空間６７に到達した冷却用気体は、結合側と反結合側に分かれる。
【００４３】
結合側に分かれた冷却用気体は、端板６２ａとガイド板６６ａの間の空間の冷却管６１の外側を下降しながら冷却された後に、冷却器出口開口６５ａを経由して、結合側に配された内扇５１に再び流入する。
【００４４】
反結合側に分かれた冷却用気体は、端板６２ｂとガイド板６６ｂの間の空間の冷却管６１の外側を下降しながら冷却された後に、冷却器出口開口６５ｂを経由して、反結合側に配された内扇５１に再び流入する。
【００４５】
次に、冷却管６１の内部を流れる冷却媒体である外気の流れを、図６を引用しながら説明する。
【００４６】
図６では、外気の流れを白抜きの矢印で示している。カバー板８１においては、側部カバー板８１ｂにおいてのみ、外気取り入れ孔８２（図５）が形成されている。図６においては、破線で囲んだＨ部の下方に外気取り入れ孔８２が形成されている。
【００４７】
外気取り入れ孔８２から外扇入口空間８０ａに流入した外気は、正面カバー板８１ａと正面ガイド板８３ａとの間の空間に回り込んだ後に、正面ガイド板８３ａに形成された吸込み開口８３ｈから外扇７０に流入する。
【００４８】
ここで、正面カバー板８１ａと正面ガイド板８３ａとの間の空間では、外気の流速は、外気取り入れ孔８２における流速に比べて十分に小さく、正面カバー板８１ａと正面ガイド板８３ａとの間の空間における外気の流れによる圧力損失は小さい。したがって、仮に正面カバー板８１ａに外気取り入れ孔が形成され、外気が正面から直接に外扇に流入する場合に比べて、本実施形態における外扇カバー８０の構成が外扇７０による風量を低下させる程度は殆ど無視できる程度である。
【００４９】
外扇７０に流入した外気が、外扇７０に駆動されて外扇出口空間８０ｂ内に流入した後に、冷却器６０の冷却管６１内に流入する。
【００５０】
図７は、実施形態に係る全閉外扇形回転電機の外扇カバーの効果を説明する概念的な平断面図である。
【００５１】
騒音については、主として外扇７０において生ずる、すなわち主な音源は外扇である。外扇７０は、周囲をガイド板８３により囲まれており、吸込み開口８３ｈから外部への音の伝播が騒音の主たる経路となる。
【００５２】
吸込み開口８３ｈを通して外扇７０の音が漏れる方向に配置された正面カバー板８１ａには、開口部が形成されていない。したがって、騒音が直接に外部に漏れることはない。また、正面カバー板８１ａには、消音部材８１ｓが取り付けられており、さらに外部への音の漏えいが低下する。
【００５３】
また、側部カバー板８１ｂ方向に向かう音波は、正面カバー板８１ａで反射したものとなるが、正面カバー板８１ａに取り付けられた消音部材８１ｓにより反射する音波の量が低減する。したがって、カバー板８１の唯一の開口部として側部カバー板８１ｂに形成された外気取り入れ孔８２から漏れる音量は十分に低いレベルに抑えられる。
【００５４】
以上のように、本実施形態によれば、全閉外扇形回転電機の冷却能力を低下させることなく騒音の低減を図ることが可能となる。
【００５５】
［その他の実施形態］
以上、本発明の実施形態を説明したが、実施形態は例として提示したものであり、発明の範囲を限定することは意図していない。たとえば、実施形態においては、横置型の回転電機の場合を例にとって示したが、立置型の場合であってもよい。また、実施形態においては、２台の内扇が設けられている場合を例にとって示したが、内扇が１台の場合であってもよい。
【００５６】
また、実施形態では、外気取り入れのための外気取り入れ孔がカバー板８１の側部カバー板８１ｂにのみ形成されている場合を示したが、これに限定されない。たとえば、さらに、上部カバー板８１ｃにも外気取り入れ孔が形成されている場合であってもよい。
【００５７】
さらに、実施形態は、その他の様々な形態で実施されることが可能であり、発明の要旨を逸脱しない範囲で、種々の省略、置き換え、変更を行うことができる。実施形態やその変形は、発明の範囲や要旨に含まれると同様に、特許請求の範囲に記載された発明とその均等の範囲に含まれるものである。
【符号の説明】
【００５８】
１０…回転子、１１…ロータシャフト、１１ａ…結合部、１２…回転子鉄心、２０…固定子、２１…固定子鉄心、２２…固定子巻線、３０ａ…結合側軸受、３０ｂ…反結合側軸受、４０…フレーム、４０ａ…閉空間、４５ａ…結合側軸受ブラケット、４５ｂ…反結合側軸受ブラケット、５１…内扇、６０…冷却器、６１…冷却管、６２ａ、６２ｂ…端板、６３…冷却器カバー、６４…冷却器入口開口、６５ａ、６５ｂ…冷却器出口開口、６６ａ、６６ｂ…ガイド板、６７…上部連通空間、７０…外扇、８０…外扇カバー、８０ａ…外扇入口空間、８０ｂ…外扇出口空間、８１…カバー板、８１ａ…正面カバー板、８１ｂ…側部カバー板、８１ｃ…上部カバー板、８１ｄ…底部カバー板、８１ｓ…消音部材、８２…外気取り入れ孔、８３…分割ガイド、８３ａ…正面ガイド板、８３ｂ…側部ガイド板、８３ｃ…斜向ガイド板、８３ｄ…上部ガイド板、８３ｇ…吸込みガイド、８３ｈ…吸込み開口、８４…内側ガイド、１００…全閉外扇形回転電機
【図１】
2020129897.tif 000003
【図２】
2020129897.tif 000004
【図３】
2020129897.tif 000005
【図４】
2020129897.tif 000006
【図５】
2020129897.tif 000007
【図６】
2020129897.tif 000008
【図７】
2020129897.tif 000009